(57)【要約】【課題】機器異常の原因となる接触不良が発生している接続端子の接続ピンを特定し、機器異常を速やかに復旧させることができるようにする。【解決手段】接続端子６、７を構成するそれぞれの接続ピンを識別するための接続ピン識別情報およびその接続ピン識別情報で識別される接続ピンが接触不良の場合に発生し得る機器異常を識別するための機器異常コードを関連付けて記憶部９１に記憶させておき、ユニット装着部にユニットが装着された後の動作で検知した機器異常コードに基づいて前記記憶部９１を検索して抽出した接触不良の接続ピン識別情報を上位装置へ通知するようにした。【選択図】        図１
2009110096.tif 000002
【特許請求の範囲】
【請求項１】
着脱可能なユニットの接続端子がユニット装着部の接続端子に接続されたことを検知して該ユニットが正しく装着されたことを検知するユニット装着検知装置において、
接続端子を構成するそれぞれの接続ピンを識別するための接続ピン識別情報およびその接続ピン識別情報で識別される接続ピンが接触不良の場合に発生し得る機器異常を識別するための機器異常コードを関連付けて記憶する記憶部と、
ユニット装着部にユニットが装着された後の動作で検知した機器異常コードに基づいて前記記憶部を検索して接触不良の接続ピン識別情報を抽出する接触不良接続ピン抽出手段とを設け、
接触不良の接続ピンを検知するようにしたことを特徴とするユニット装着検知装置。
【請求項２】
請求項１のユニット装着検知装置において、
前記接続ピン識別情報を、それぞれの接続ピンに一意に付与された接続ピン番号としたことを特徴とするユニット装着検知装置。
【請求項３】
着脱可能なユニットの接続端子がユニット装着部の接続端子に接続されたことを検知して該ユニットが正しく装着されたことを検知するユニット装着検知装置において、
接続端子を構成するそれぞれの接続ピンを制御系統別に分割した接続ピン群を識別するための接続ピン群識別情報およびその接続ピン群識別情報で識別される接続ピン群が接触不良の場合に発生し得る機器異常を識別するための機器異常コードを関連付けて記憶する記憶部と、
ユニット装着部にユニットが装着された後の動作で検知した機器異常コードに基づいて前記記憶部を検索して接触不良の接続ピン群識別情報を抽出する接触不良接続ピン抽出手段とを設け、
接触不良の接続ピン群を検知するようにしたことを特徴とするユニット装着検知装置。
【発明の詳細な説明】
【技術分野】
【０００１】
本発明は、紙幣や硬貨の現金を取扱う現金処理機や文書等を所定の用紙に複写する複写機等における現金や所定の用紙を収納するカセット等のユニットの装着不良を検知するユニット装着検知装置に関する。
【背景技術】
【０００２】
従来のユニット装着検知装置は、装着されるカセットユニットの整列方向に沿って光軸を通し、センサでその光軸が通る状態を検知してすべてのカセットユニットが正常に装着されていることを検知するようにしている（例えば、特許文献１参照）。
また、現金を収納するカセット等のユニットを脱着する現金処理機等において、そのユニットと機体に電気的な接続端子を有する場合、図１１に示すように機体側の所定の端子とユニット側の所定の端子（例えば、両端の端子）が導通状態にあることを確認してユニットが機体に正常に装着されたことを検知するようにしているものもある。
【特許文献１】特開平１０−７９０６８号公報（段落「００２９」〜段落「００３５」、図１）
【発明の開示】
【発明が解決しようとする課題】
【０００３】
しかしながら、上述した従来の技術においては、センサで光軸が通る状態を検知し、すべてのユニットが装着されていることを検知するようにしている場合、ユニットと機体に設けられた接続端子が正常に接続されていることを確認することができず、また機体側の接続確認用の端子とユニットの接続確認用の端子が導通状態にあることを確認するようにしても、それ以外の端子にごみ等の異物が混入して接触不良となっている場合、その接触不良を検知することができないという問題がある。
【０００４】
特に、ユニットの脱着後に発生する機器異常は接続端子に混入したごみ等の異物が原因となる場合が多く、このような場合に機器異常を速やかに復旧させることが困難であるという問題がある。
本発明は、このような問題を解決することを課題とする。
【課題を解決するための手段】
【０００５】
そのため、本発明は、着脱可能なユニットの接続端子がユニット装着部の接続端子に接続されたことを検知して該ユニットが正しく装着されたことを検知するユニット装着検知装置において、接続端子を構成するそれぞれの接続ピンを識別するための接続ピン識別情報およびその接続ピン識別情報で識別される接続ピンが接触不良の場合に発生し得る機器異常を識別するための機器異常コードを関連付けて記憶する記憶部と、ユニット装着部にユニットが装着された後の動作で検知した機器異常コードに基づいて前記記憶部を検索して接触不良の接続ピン識別情報を抽出する接触不良接続ピン抽出手段とを設け、接触不良の接続ピンを検知するようにしたことを特徴とする。
【発明の効果】
【０００６】
このようにした本発明は、機器異常の原因となる接触不良が発生している接続端子の接続ピンを特定することができるようになり、機器異常を速やかに復旧させることができるという効果が得られる。
【発明を実施するための最良の形態】
【０００７】
以下、図面を参照して本発明によるユニット装着検知装置の実施例を説明する。
【実施例１】
【０００８】
図２は第１の実施例におけるユニット装着検知装置を搭載した現金処理機の説明図、図３は第１の実施例における現金処理機の構成を示すブロック図である。
図２および図３において、１は現金処理機であり、銀行や郵便局等の金融機関の営業店等に設置され、金融機関のオペレータの操作により、紙幣等の入金や出金等の取引を行うものである。
【０００９】
２は表示部であり、液晶ディスプレイ等の表示画面で構成され、金融機関の係員が行う業務を選択するための業務選択画面、各種情報の入力を行う入力画面、係員の操作を誘導するための誘導画面や計数した現金の金額等を表示するものである。
３は操作部であり、通常のキーボード、操作の終了を指示する「完了」キーや現金処理機１を初期化（イニシャル）動作させるための「リセット」キー等の入力手段で構成され、係員の操作を受け付けるものである。
【００１０】
４はユニット装着部としての下部ユニットであり、５は紙幣を収納するためのカセットユニットである。下部ユニット４は現金処理機１の本体から引出し可能に構成され、カセットユニット５を装着することができるようになっている。カセットユニット５は、例えば紙幣の金種ごとに３個のカセットユニットで構成され、カセットユニット５ａ、５ｂに万円券、カセットユニット５ｃに千円券を収納するものとする。
【００１１】
６はカセットユニット５に設けられた接続端子であり、７は下部ユニット４に設けられた接続端子である。この接続端子６と接続端子７は、電気的な信号線を接続するためのものであり、例えば図２の矢印Ａが示す方向に引き出された下部ユニット４にカセットユニット５を図２の矢印Ｂが示す方向へ挿入することにより接続端子６と接続端子７とが嵌合されて接続される。なお、接続端子６、７の詳細は後述する。
【００１２】
図３において、８は入出金部であり、出金取引や入金取引に伴う紙幣の入出金処理を行うものである。ここで、入金処理とは図示しない入出金口に投入された紙幣を計数して金庫としてのカセットユニット５に収納することである。また、出金処理とは係員の操作により指定した金額に相当する紙幣を金庫としてのカセットユニット５から繰出して計数し入出金口に搬送して払い出すことである。
【００１３】
９はユニット装着検知装置であり、接続端子を有するユニットが機体に装着されたことを検知するためのものである。このユニット装着検知装置９は、入出金部８に設けられ、カセットユニット５に設けられた接続端子６と下部ユニット４に設けられた接続端子７とが嵌合して接続されたことを確認してカセットユニット５が下部ユニット４に装着されたことを検知する。
【００１４】
１０は記憶部であり、半導体メモリや磁気ディスク等で構成され情報を記憶し、記憶した情報を読取ることができるものである。この記憶部１０には現金処理機１全体の動作を制御する制御プログラム（ソフトウェア）、表示部２に表示する画面データ等を記憶する。
１１は制御部であり、ＣＰＵ（Ｃｅｎｔｒａｌ  Ｐｒｏｃｅｓｓｉｎｇ  Ｕｎｉｔ）等の演算手段、ならびに制御手段、および処理手段等で構成されたものである。この制御部１１は、表示部２、操作部３、入出金部８、および記憶部１０を含めて現金処理機１全体の動作を記憶部１０に格納された制御プログラム（ソフトウェア）に基づいて制御する。
【００１５】
このように現金処理機１の制御系は表示部２、操作部３、入出金部８、記憶部１０、および制御部１１等で構成されている。
次に、ユニット装着検知装置９を図１の第１の実施例におけるユニット装着検知装置の構成を示すブロック図に基づいて説明する。
図１に示すようにユニット装着検知装置９は、下部ユニット４に設けられた接続端子７、半導体メモリや磁気ディスク等で構成された記憶部９１、ＣＰＵ等の演算手段ならびに制御手段等で構成された制御部９２で構成され、記憶部９１に格納された制御プログラム（ソフトウェア）に基づいて制御部９２がユニット装着検知装置９全体およびカセットユニット５を制御する。
【００１６】
カセットユニット５は接続端子６を備え、その接続端子６に紙幣を検知するための紙幣検知センサ等のセンサ５１、紙幣を収納させるためのモータや収納した紙幣を繰出すためのモータ等のモータ５２、情報の送受信をするための通信デバイス５３、カセットユニット５全体に電源を供給するための電源５４等が接続されている。
また、カセットユニット５は下部ユニット４に正常に装着されると接続端子６と接続端子７とが嵌合して電気的に接続される。このように電気的に接続されることにより各種信号の入出力が可能になり、ユニット装着検知装置９の制御部９２は、カセットユニット５のセンサ５１、モータ５２、通信デバイス５３等を制御することができるようになる。
【００１７】
なお、ユニット装着検知装置９の制御部９２は入出金部８の図示しない制御部と接続され、その入出金部８の制御部の指示にしたがってユニット装着検知装置９全体および接続端子６、７で接続されたカセットユニット５を制御するものとする。
また、本実施例では、ユニット装着検知装置９は３個の接続端子６、７を介して３個のカセットユニット５ａ、５ｂ、５ｃと接続することができるようになっているものとするが、３個に限られることなく、ひとつまたは３個以外の複数のカセットユニット５を接続するようにしてもよい。
【００１８】
次に、接続端子６、７を図４の第１の実施例における接続端子の説明図に基づいて説明する。
図４（ａ）は接続端子６、図４（ｂ）は接続端子７を示し、６１は接続端子６の接続ピン、７１は接続端子７の接続ピンを示す。この接続ピン６１、７１は図４に示すように例えば１から２０の接続ピン番号が付与されているものとする。
【００１９】
カセットユニット５が下部ユニット４に正常に装着されると接続端子６と接続端子７とが嵌合して接続ピン番号が１から２０までの接続ピン６１と接続ピン７１とがそれぞれ接触し、導通可能になり電気的に接続されるようになっている。なお、図４における接続ピン番号が同一の接続ピン６１と接続ピン７１とが接続されるものとする。
次に、機器異常データベースを図５の第１の実施例における機器異常データベースの説明図に基づいて説明する。
【００２０】
図５において、２０は機器異常データベースであり、ユニット装着検知装置９の記憶部９１に予め記憶されるものである。
この機器異常データベース２０は、接続端子６および接続端子７のそれぞれの接続ピンを識別するために、一意に付与された番号を示す接続ピン番号２１、およびその接続ピン番号２１が示す接続ピンの接触不良があった場合に各カセットユニットで発生しうる機器異常コードをカセットユニット毎に予め記憶するＡカセットユニット２２、Ｂカセットユニット２３、Ｃカセットユニット２４で構成されている。
【００２１】
ここで、機器異常コードとはユニット装着検知装置９の制御部９２がユニット装着検知装置９全体およびカセットユニット５を制御するときに検知した機器異常の原因を識別するための情報であり、例えばカセットユニット５に備えられたセンサから入力する信号が変化しない場合、所定の時間が経過してもモータが回転しない場合、所定の時間が経過しても送信した情報に対する応答がない場合等の機器異常の原因毎に予め決められた情報である。なお、この機器異常コードは制御部９２が機器異常を検知すると必ず生成されるものとする。
【００２２】
機器異常データベース２０は、接触不良の可能性がある接続ピンの接続ピン番号２１に関連付けて発生し得る機器異常コードを予め記憶したものであり、例えば、機器異常コードが“０１０１”の場合、Ａカセットユニットとの接続端子６、７の接続ピン番号が“１”の接続ピンの接触不良の可能性があることを示し、機器異常コードが“０２０２”の場合、Ｂカセットユニットとの接続端子６、７の接続ピン番号が“２”の接続ピンの接触不良の可能性があること、機器異常コードが“０３０３”の場合、Ｃカセットユニットとの接続端子６、７の接続ピン番号が“３”の接続ピンの接触不良の可能性があることを示すものとする。
【００２３】
したがって、接触不良接続ピン抽出手段としての制御部９２は生成した機器異常コードに基づいて機器異常データベース２０を検索し、機器異常が発生しているカセットユニット５および接触不良の接続ピン番号を抽出することができるようになっている。
上述した構成の作用について説明する。
ユニット装着検知装置９が行うユニット装着不良検知処理を図６の第１の実施例におけるユニット装着不良検知処理を示すフローチャートの図中Ｓで表すステップにしたがって説明する。
【００２４】
なお、以下に説明する各実施例における各部の動作は、図示しないメモリや磁気ディスク等の記憶手段に格納されたプログラム（ソフトウェア）に基づいて図示しない中央処理装置等の制御手段により制御される。
Ｓ１ａ：まず、係員の操作により、カセットユニット５が現金処理機１から引き出された下部ユニット４に装着され、その下部ユニット４が現金処理機１に押し込まれてセットされるものとする。
【００２５】
下部ユニット４が現金処理機１にセットされると現金処理機１の制御部１１の指示により入出金部８は初期化（イニシャル）動作を行うものとする。
この初期化動作は、入出金部８が正常に動作することが可能であることを確認するための自己診断動作および紙幣を入出金するための各種機構等を所定の位置に移動させて紙幣の入手金動作を円滑に行うための準備動作である。
【００２６】
ここで、制御部１１は入出金部８全体の初期化動作を行うが、本実施例ではカセットユニット５の初期化動作を中心に説明するものとし、そのカセットユニット５の初期化動作はユニット装着検知装置９の制御部９２の制御により行われる。
Ｓ２ａ：初期化（イニシャル）動作を行うとユニット装着検知装置９の制御部９２はその初期化動作が正常に終了したか否かを判定する。
【００２７】
その判定の結果、正常に初期化動作が完了した場合、カセットユニットが正常に装着されたとして処理を終了し、初期化動作で機器異常（エラー）を検知した場合、処理をＳ３ａへ移行する。
Ｓ３ａ：初期化動作で機器異常を検知するとユニット装着検知装置９の制御部９２は生成した機器異常（エラー）コードに基づいて機器異常データベース２０を検索（照合）する。
【００２８】
Ｓ４ａ：装着検知装置９の制御部９２は生成した機器異常コードに基づいて機器異常データベース２０を検索して機器異常が発生しているカセットユニット５および接続ピン番号を抽出する。これにより、接触不良が発生しているカセットユニット５および接続端子６、７の接続ピン番号を推定する。
例えば、機器異常コードが“０３０１”の場合、機器異常が発生しているカセットユニットがＡカセットユニット、接続ピン番号が“３”であることを推定する。
【００２９】
Ｓ５ａ：機器異常が発生しているカセットユニットと接触不良が発生している接続ピン番号を抽出すると制御部９２は抽出したカセットユニットを識別するためのカセットユニット識別情報および接触不良が発生している接続ピン番号を識別するための接続ピン番号識別情報を、入出金部８を介して現金処理機１（上位装置）の制御部１１へ通知し、その制御部１１の指示により表示部２は係員に点検作業を行うことを誘導する点検誘導画面を表示する。
【００３０】
この点検誘導画面は図７に示すように「エラー発生しているカセットは、ＸＸカセットです。ＸＸカセットのジャックインコネクタの△ピンを点検・清掃してください。装置本体側のジャックインコネクタの□ピンを点検・清掃してください。」等の文言および接続端子６、７を示す図柄ならびに点検・清掃対象の接続ピンを示す図柄等で構成されたものである。
【００３１】
本実施例では、抽出した機器異常が発生しているカセットユニットと接触不良が発生している接続ピン番号に基づいて「ＸＸカセット」を「Ａカセット」、「△ピン」および「□ピン点検」を「３ピン」として表示させるものとする。
係員は表示された誘導画面にしたがって下部ユニット４を引き出して点検誘導画面で指示されたカセットユニット５を外し、そのカセットユニット５の接続端子６および下部ユニットの接続端子７の接続ピンを点検・清掃するものとする。本実施例では、Ａカセットユニットを外し、接続端子６、７の３ピンを点検・清掃するものとする。
【００３２】
Ｓ６ａ：現金処理機１の操作部３は係員による機器異常を復旧させるためのリセットキーの押下を待機する。
操作部３がリセットキーの押下を受け付けると制御部１１がカセットユニット５の脱着があったか否かを判定する。その結果、脱着がされていないと判定されると処理をＳ７ａへ移行し、脱着がされていると判定されると処理をＳ８ａへ移行する。
【００３３】
なお、カセットユニット５が脱着されたか否かは入出金部８の制御部が検知し、現金処理機１へ通知されるものとする。
Ｓ７ａ：脱着がされていないと判定されると現金処理機１の制御部１１の指示により表示部２は接続ピンの点検・清掃がされていない旨のアラーム表示画面を表示し、係員に注意を促して処理をＳ５ａへ移行する。
【００３４】
Ｓ８ａ：一方、カセットユニット５の脱着がされていると判定されるとＳ１ａと同様の初期化動作を行い、処理をＳ２ａへ移行する。
このようにして装着検知装置９の制御部９２は生成した機器異常コードに基づいて機器異常データベース２０を検索して機器異常が発生しているカセットユニット５および接続ピン番号を抽出し、接触不良が発生しているカセットユニット５および接続端子６、７の接続ピン番号を特定することにより、発生した機器異常を速やかに復旧させることができる。
【００３５】
特に、カセットユニット５の脱着後に発生する機器異常は接続端子６、７に混入したごみ等の異物が原因となる場合が多く、このような場合に機器異常を速やかに復旧させることができる。
以上説明したように、第１の実施例では、接続端子６および接続端子７の接続ピンに接触不良があった場合、各カセットユニットで発生しうる機器異常コードをカセットユニット毎および接続ピン番号毎に予め記憶する機器異常データベース２０を記憶部９１に設けたことにより、装着検知装置９の制御部９２は生成した機器異常コードに基づいて機器異常データベース２０を検索して機器異常が発生しているカセットユニット５および接続ピン番号を抽出し、接触不良が発生しているカセットユニット５および接続端子６、７の接続ピン番号を特定することができるようになり、現金処理機１で発生している機器異常を速やかに復旧させることができるという効果が得られる。
【実施例２】
【００３６】
第２の実施例の構成は、第１の実施例の構成と機器異常データベースの構成が異なるものであり、上述した第１の実施例と同様の部分は、同一の符号を付してその説明を省略する。
機器異常データベースを図８の第２の実施例における機器異常データベースの説明図に基づいて説明する。
【００３７】
図８において、３０は機器異常データベースであり、ユニット装着検知装置９の記憶部９１に予め記憶されるものである。
この機器異常データベース３０は、接続端子６および接続端子７の接続ピンをセンサ制御系統、モータ制御系統、通信制御系統、電源系統（論理電源、駆動電源）等の制御系統別に分割し、その分割された一または複数の接続ピンを示す接続ピン群識別情報である接続ピン群３１、およびその接続ピン群３１が示す接続ピン群内の接続ピンの接触不良があった場合に各カセットユニットで発生しうる機器異常コードをカセットユニット毎に予め記憶するＡカセットユニット３２、Ｂカセットユニット３３、Ｃカセットユニット３４で構成されている。
【００３８】
ここで、機器異常コードとはユニット装着検知装置９の制御部９２がユニット装着検知装置９全体およびカセットユニット５を制御するときに検知した機器異常の原因を識別するための情報であることは第１の実施例で説明したとおりである。
また、制御系統別に分割された接続ピン群は、所定の範囲内になるように一群を形成して配置されるものとし、例えば接続端子６および接続端子７の接続ピンが第１の実施例の図４で説明した接続ピン番号が付与されている場合、接続ピン番号１から３がセンサ制御系統、接続ピン番号４から６がモータ制御系統、接続ピン番号１５から１７が通信制御系統、接続ピン番号１８から２０が電源系統等に配置されるものとする。
【００３９】
機器異常データベース３０は、接触不良の可能性がある接続ピン群を示す接続ピン群３１に関連付けて発生し得る機器異常コードを予め記憶したものであり、例えば、機器異常コードが“３００１”の場合、Ａカセットユニットとの接続端子６、７の“センサ制御系統”の接続ピンの接触不良の可能性があることを示し、機器異常コードが“４００２”の場合、Ｂカセットユニットとの接続端子６、７の“モータ制御系統”の接続ピンの接触不良の可能性があること、機器異常コードが“７００３”の場合、Ｃカセットユニットとの接続端子６、７の“通信制御系統”の接続ピンの接触不良の可能性があることを示すものとする。
【００４０】
したがって、接触不良接続ピン抽出手段としての制御部９２は生成した機器異常コードに基づいて機器異常データベース３０を検索し、機器異常が発生しているカセットユニット５および接触不良の接続ピン群を抽出することができる。
上述した構成の作用について説明する。
ユニット装着検知装置９が行うユニット装着不良検知処理を図９の第２の実施例におけるユニット装着不良検知処理を示すフローチャートの図中Ｓで表すステップにしたがって説明する。
【００４１】
Ｓ１ｂ〜Ｓ３ｂ：図６におけるＳ１ａ〜Ｓ３ａと同様なのでその説明を省略する。
Ｓ４ｂ：装着検知装置９の制御部９２は生成した機器異常コードに基づいて機器異常データベース３０を検索すると機器異常が発生しているカセットユニット５および接続ピン群を抽出する。これにより、接触不良が発生しているカセットユニット５および接続端子６、７の接続ピン群を推定する。
【００４２】
例えば、機器異常コードが“４００１”の場合、機器異常が発生しているカセットユニットがＡカセットユニット、接続ピン群が“モータ制御系統”であることを推定する。
Ｓ５ｂ：機器異常が発生しているカセットユニットと接触不良が発生している接続ピン群を抽出すると制御部９２は抽出したカセットユニットを識別するためのカセットユニット識別情報および接触不良が発生している接続ピン群を識別するための接続ピン群識別情報を、入出金部８を介して現金処理機１（上位装置）の制御部１１へ通知し、その制御部１１の指示により表示部２は係員に点検作業を行うことを誘導する点検誘導画面を表示する。
【００４３】
この点検誘導画面は図１０に示すように「エラー発生しているカセットは、ＸＸカセットです。○○系統で、接触不良が発生しています。ＸＸカセットのジャックインコネクタの○○系統の端子範囲を点検・清掃してください。装置本体側のジャックインコネクタの○○系統の端子範囲を点検・清掃してください。」等の文言および接続端子６、７を示す図柄ならびに点検・清掃対象の接続ピン群を示す図柄等で構成されたものである。
【００４４】
本実施例では、抽出した機器異常が発生しているカセットユニットと接触不良が発生している接続ピン番号に基づいて「ＸＸカセット」を「Ａカセット」、「○○系統」を「モータ系統」として表示させるものとする。
係員は表示された誘導画面にしたがって下部ユニット４を引き出して点検誘導画面で指示されたカセットユニット５を外し、そのカセットユニット５の接続端子６および下部ユニットの接続端子７の接続ピン群を点検・清掃するものとする。本実施例では、Ａカセットユニットを外し、接続端子６、７のモータ制御系統の接続ピン群を点検・清掃するものとする。
【００４５】
Ｓ６ｂ〜Ｓ８ｂ：図６に示すＳ６ａ〜Ｓ８ａと同様なのでその説明を省略する。
このようにして装着検知装置９の制御部９２は生成した機器異常コードに基づいて機器異常データベース２０を検索して機器異常が発生しているカセットユニット５および接続ピン群を抽出し、接触不良が発生しているカセットユニット５および接続端子６、７の接続ピン群を特定することにより、発生した機器異常を速やかに復旧させることができる。
【００４６】
特に、カセットユニット５の脱着後に発生する機器異常は接続端子６、７に混入したごみ等の異物が原因となる場合が多く、このような場合に機器異常を速やかに復旧させることができる。
以上説明したように、第２の実施例では、接続端子６および接続端子７の接続ピンに接触不良があった場合、各カセットユニットで発生しうる機器異常コードをカセットユニット毎および接続ピン群毎に予め記憶する機器異常データベース２０を記憶部９１に設けたことにより、ユニット装着検知装置９の制御部９２は生成した機器異常コードに基づいて機器異常データベース２０を検索して機器異常が発生しているカセットユニット５および接続ピン群を抽出し、接触不良が発生しているカセットユニット５および接続端子６、７の接続ピン群を特定することができるようになり、現金処理機１で発生している機器異常を速やかに復旧させることができるという効果が得られる。
【００４７】
なお、第１の実施例および第２の実施例において、ユニット装着検知装置９は現金処理機に搭載される例で説明したが現金処理機に限られることなく、例えば紙幣、硬貨、カード、通帳、チケット、切符、航空券、印刷用紙等を収納するユニットが着脱可能に構成される現金自動預払機、自動券売機、発券機、印刷機、複写機等の装置であってもよく、また、それらの装置に搭載された一部ではなく、それらの装置そのものであってもよく、接続端子を有するユニットを着脱可能に構成された装置であればよい。
【図面の簡単な説明】
【００４８】
【図１】第１の実施例におけるユニット装着検知装置の構成を示すブロック図
【図２】第１の実施例におけるユニット装着検知装置を搭載した現金処理機の説明図
【図３】第１の実施例における現金処理機の構成を示すブロック図
【図４】第１の実施例における接続端子の説明図
【図５】第１の実施例における機器異常データベースの説明図
【図６】第１の実施例におけるユニット装着不良検知処理を示すフローチャート
【図７】第１の実施例における点検誘導画面の説明図
【図８】第２の実施例における機器異常データベースの説明図
【図９】第２の実施例におけるユニット装着不良検知処理を示すフローチャート
【図１０】第２の実施例における点検誘導画面の説明図
【図１１】従来の接続端子の説明図
【符号の説明】
【００４９】
１    現金処理機
２    表示部
３    操作部
４    下部ユニット
５    カセットユニット
６、７  接続端子
８    入出金部
９    ユニット装着検知装置
１０、９１  記憶部
１１、９２  制御部
２０、３０  機器異常データベース
【図１】
2009110096.tif 000003
【図２】
2009110096.tif 000004
【図３】
2009110096.tif 000005
【図４】
2009110096.tif 000006
【図５】
2009110096.tif 000007
【図６】
2009110096.tif 000008
【図７】
2009110096.tif 000009
【図８】
2009110096.tif 000010
【図９】
2009110096.tif 000011
【図１０】
2009110096.tif 000012
【図１１】
2009110096.tif 000013